(57)【要約】【課題】各種チケット発券システムとの連携を必要とせずに、イベントの思い出となる記念チケットを発行する。【解決手段】本実施形態による記念チケット発行装置１は、チケットＴの券面を読み取る読取部１７と、イベントの名称、日時又は場所を含むイベント関連情報と、テンプレート画像とを記憶する記憶部１５と、前記券面から情報を抽出する抽出部２１と、抽出した前記情報、前記イベント関連情報、及び前記テンプレート画像を用いて記念チケット券面画像を生成する生成部２３と、を備える。プリンタ１３が、記念チケット券面画像を用紙にプリントして、記念チケットＣを作成する。【選択図】図１
2019067073.tif 000002
【特許請求の範囲】
【請求項１】
チケットの券面を読み取る読取部と、
イベントの名称、日時又は場所を含むイベント関連情報と、テンプレート画像とを記憶する記憶部と、
前記券面から情報を抽出する抽出部と、
抽出した前記情報、前記イベント関連情報、及び前記テンプレート画像を用いて記念チケット券面画像を生成する生成部と、
を備える記念チケット発行装置。
【請求項２】
前記記念チケット券面画像を用紙にプリントして出力するプリンタをさらに備えることを特徴とする請求項１に記載の記念チケット発行装置。
【請求項３】
抽出した前記情報と、前記イベント関連情報とを比較し、前記チケットが記念チケット発行対象のイベントのチケットであるか否か判定する判定部をさらに備えることを特徴とする請求項１又は２に記載の記念チケット発行装置。
【請求項４】
イベントの終了後に、イベント結果を含む前記イベント関連情報をサーバ装置から取得する通信部をさらに備えることを特徴とする請求項１乃至３のいずれかに記載の記念チケット発行装置。
【請求項５】
携帯端末のコンピュータに、
チケットの券面から情報を抽出するステップと、
イベントの名称、日時又は場所を含むイベント関連情報と、テンプレート画像とをサーバ装置から取得するステップと、
抽出した前記情報、前記イベント関連情報、及び前記テンプレート画像を用いて記念チケット券面画像を生成するステップと、
前記記念チケット券面画像を表示部に表示させるステップと、
を実行させることを特徴とするプログラム。
【請求項６】
前記携帯端末に搭載された撮影部が撮影したチケットの券面から前記情報を抽出することを特徴とする請求項５に記載のプログラム。
【請求項７】
前記携帯端末の位置を取得するステップと、
取得した位置と、前記イベント関連情報に含まれる場所とを比較し、比較結果に基づいて前記記念チケット券面画像の生成の可否を判定するステップと、
を前記コンピュータに実行させることを特徴とする請求項５又は６に記載のプログラム。
【発明の詳細な説明】
【技術分野】
【０００１】
本発明は、記念チケット発行装置及びプログラムに関する。
【背景技術】
【０００２】
コンサートやスポーツ観戦等の各種イベントのチケットを思い出として残しておきたいと思うイベント参加者は多い。保管用のチケットの申し込みを事前に受け付け、発行するシステムを構築する場合、様々なチケット発券所（コンビニエンスストア、チケット販売店等）のシステムやイベント管理会社との連携が必要になるため、システム規模が大きくなるという問題がある。
【０００３】
また、イベント参加者は、イベントで貴重な体験をした後に、思い出を残したくなることが多く、事前に保管用チケットの購入有無を判断することは困難であった。イベント後に思い出を残すための記念チケットを発行することは行われていなかった。
【先行技術文献】
【特許文献】
【０００４】
【特許文献１】特開２００５−０１１０４１号公報
【発明の概要】
【発明が解決しようとする課題】
【０００５】
本発明は、各種チケット発券システムとの連携を必要とせずに、イベントの思い出となる記念チケットを発行できる記念チケット発行装置及びプログラムを提供することを目的とする。
【課題を解決するための手段】
【０００６】
本発明の記念チケット発行装置は、チケットの券面を読み取る読取部と、イベントの名称、日時又は場所を含むイベント関連情報と、テンプレート画像とを記憶する記憶部と、前記券面から情報を抽出する抽出部と、抽出した前記情報、前記イベント関連情報、及び前記テンプレート画像を用いて記念チケット券面画像を生成する生成部と、を備えるものである。
【０００７】
本発明の一態様では、前記記念チケット券面画像を用紙にプリントして出力するプリンタをさらに備える。
【０００８】
本発明の一態様では、抽出した前記情報と、前記イベント関連情報とを比較し、前記チケットが記念チケット発行対象のイベントのチケットであるか否か判定する判定部をさらに備える。
【０００９】
本発明の一態様では、イベントの終了後に、イベント結果を含む前記イベント関連情報をサーバ装置から取得する通信部をさらに備える。
【００１０】
本発明のプログラムは、携帯端末のコンピュータに、チケットの券面から情報を抽出するステップと、イベントの名称、日時又は場所を含むイベント関連情報と、テンプレート画像とをサーバ装置から取得するステップと、抽出した前記情報、前記イベント関連情報、及び前記テンプレート画像を用いて記念チケット券面画像を生成するステップと、前記記念チケット券面画像を表示部に表示させるステップと、を実行させるものである。
【００１１】
本発明の一態様では、前記携帯端末に搭載された撮影部が撮影したチケットの券面から前記情報を抽出する。
【００１２】
本発明の一態様では、前記携帯端末の位置を取得するステップと、取得した位置と、前記イベント関連情報に含まれる場所とを比較し、比較結果に基づいて前記記念チケット券面画像の生成の可否を判定するステップと、を前記コンピュータに実行させる。
【発明の効果】
【００１３】
本発明によれば、各種チケット発券システムとの連携を必要とせずに、イベントの思い出となる記念チケットを発行できる。
【図面の簡単な説明】
【００１４】
【図１】本発明の実施形態による記念チケット発行システムの概略図である。
【図２】（ａ）は入場チケットの一例を示す図であり、（ｂ）は記念チケットの一例を示す図である。
【図３】記念チケット発行装置の斜視図である。
【図４】記念チケット発行装置のハードウェア構成図である
【図５】記念チケット発行装置の機能ブロック図である。
【図６】入場チケットを撮影している携帯端末を示す図である。
【図７】携帯端末のハードウェア構成図である。
【図８】携帯端末の機能ブロック図である。
【発明を実施するための形態】
【００１５】
図１は、本発明の実施形態に係る記念チケット発行システムの概略図である。例えば、利用者Ｐは、イベント終了後に記念チケット発行装置１を操作し、自身が所有する入場チケットＴの券面を読み取らせる。記念チケット発行装置１は、入場チケットＴの券面から必要な情報を抽出し、抽出した情報と、予め登録されているイベント関連情報とを用いて記念チケットの券面画像を生成する。記念チケット発行装置１は、生成した券面画像を用紙にプリントして、記念チケットを発行する。
【００１６】
例えば、利用者Ｐは、図２（ａ）に示すような野球の試合の入場チケットＴを所有しており、この入場チケットＴの券面を記念チケット発行装置１に読み取らせる。記念チケット発行装置１は、入場チケットＴの券面から、イベントの名称や日時、座席情報を抽出する。
【００１７】
記念チケット発行装置１には、イベントの名称や日時、イベント会場に設置されている座席の情報等のイベント関連情報、及び記念チケットのテンプレート画像が予め登録されている。イベント関連情報及びテンプレート画像は、インターネット等のネットワークを介してサーバＳから取得してもよいし、係員がイベント関連情報を格納した可搬記憶媒体を持参し、記念チケット発行装置１に入力してもよい。イベント関連情報は、試合結果や、当日の天候情報を含むものであってもよい。
【００１８】
記念チケット発行装置１は、入場チケットＴの券面から抽出した情報と、イベント関連情報とを比較し、入場チケットＴが記念チケット発行対象のイベントのチケットであるか否かを判定し、問題無ければ、抽出情報、イベント関連情報、及びテンプレート画像を用いて、記念チケットの券面画像を生成する。
【００１９】
例えば、図２（ａ）に示す入場チケットＴの券面を読み取った記念チケット発行装置１は、図２（ｂ）に示すような記念チケットＣを発行する。記念チケットＣには、選手や監督の特典画像に加えて、試合結果（イベント結果）、当日の天候、入場チケットＴの券面から抽出した座席情報等がプリントされており、利用者Ｐのための特別な思い出に残るチケットとなる。特典画像はテンプレート画像に含まれている。
【００２０】
記念チケット発行装置１は、単体で運用するか、又はイベント関連情報を提供するサーバＳと連携して運用すればよく、入場チケットＴの発券システムとの連携は必要としない。そのため、システム規模を抑えて、イベントの思い出となる記念チケットを発行することができる。
【００２１】
記念チケットは、イベント終了後だけでなく、イベント開始前やイベント中に発行してもよい。ただし、イベントがスポーツの試合等の場合、イベント開始前やイベント中に発行される記念チケットには、試合結果はプリントされない。
【００２２】
図３は記念チケット発行装置１の斜視図であり、図４は記念チケット発行装置１のハードウェア構成のブロック図である。記念チケット発行装置１は、タッチパネル（表示部、操作部）１０Ａ、１０Ｂ、データ入力部１１、課金部１２、プリンタ１３、ＣＰＵ（中央処理部）１４、記憶部（補助記憶装置）１５、メインメモリ１６、券面読取部１７、及び通信装置１８を有する。
【００２３】
タッチパネル１０Ａ、１０Ｂは、画像を含む情報を表示したり、利用者から各種指示の入力を受け付けたりする。
【００２４】
タッチパネル１０Ｂは、記念チケット発行装置１の筐体２の上部に設けられ、ディスプレイ画面は略垂直に立った状態となっている。タッチパネル１０Ａは、筐体２の天板２Ａ部分に設けられている。タッチパネル１０Ａへの入力操作を行い易いように、天板２Ａ及びタッチパネル１０Ａの画面は、手前側が低く奥側が高くなるようにやや傾斜している。本実施形態では、２つのタッチパネルを搭載した例について説明するが、タッチパネルは１つでもよいし、３つ以上でもよい。
【００２５】
データ入力部１１は、係員が持参したＵＳＢメモリ等の可搬記憶媒体に格納されたイベント関連情報及びテンプレート画像を入力するためのインタフェースである。入力されたイベント関連情報及びテンプレート画像は記憶部１５に格納される。イベント関連情報は、イベントの名称や日時、場所、イベント会場に設置されている座席の情報、天候情報、試合結果等を含む。テンプレート画像は、イベントに関連する選手やキャラクター等の特典画像を含む。
【００２６】
課金部１２は、筐体２の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。課金部１２を用いて、記念チケットの
代金の精算処理が行われる。また、課金部１２は、電子マネーによる精算機能を有していてもよい。
【００２７】
プリンタ１３は、例えば昇華型熱転写方式やインクジェット方式の高解像度カラープリンタであり、記念チケット画像を用紙にプリントして出力する。
【００２８】
筐体２の前面側には、開閉扉３が開閉自在に設けられている。開閉扉３の裏面側には、プリンタ１３から排出された記念チケットが載置される排出口（図示略）が設けられており、開閉扉２を開けると記念チケットが取り出せるようになっている。
【００２９】
券面読取部１７は、利用者が持参した入場チケットＴの券面を読み取るものであり、例えばデジタルカメラやイメージスキャナが用いられる。タッチパネル１０Ａとタッチパネル１０Ｂとの間の筐体１の前面には後面側へ凹んだ凹部４が設けられており、入場チケットＴを載置できる領域が設けられている。券面読取部１７は、凹部４に載置された入場チケットの券面を読み取る（取り込む）。
【００３０】
通信装置１８は、サーバ装置Ｓ（図１参照）と通信を行い、イベント関連情報及びテンプレート画像を取得することができる。イベント関連情報及びテンプレート画像は記憶部１５に格納される。
【００３１】
記憶部１５は、例えばハードディスクドライブやフラッシュメモリであり、制御プログラム及び記念チケット発行プログラムを格納する。ＣＰＵ１４は、記憶部１５内の制御プログラムをメインメモリ１６にロードして、制御プログラムを実行する。ＣＰＵ１４は、制御プログラムを実行することで、記念チケット発行装置１の各部を制御する制御部２０として機能する。
【００３２】
ＣＰＵ１４は、記憶部１５内の記念チケット発行プログラムをメインメモリ１６にロードして実行する。記念チケット発行プログラムの実行に伴い、図５に示すように、抽出部２１、判定部２２、生成部２３、及びプリント処理部２４が実現される。
【００３３】
抽出部２１は、券面読取部１７が読み取った入場チケットＴの券面画像から、記念チケットの作成に必要な情報を抽出する。例えば、抽出部２１は、文字認識処理を行い、券面画像からイベント名称、日時、場所、座席情報等を抽出する。
【００３４】
判定部２２は、利用者が持参した入場チケットＴが、記念チケット発行対象のイベントのチケットであるか否かを判定する。例えば、判定部２２は、抽出部２１が抽出したイベント名称、日時及び場所と、記憶部１５に格納されているイベント関連情報に含まれるイベント名称、日時及び場所とを比較する。比較結果が一致した場合、判定部２２は、利用者が持参した入場チケットＴが、記念チケット発行対象のイベントのチケットであると判定する。
【００３５】
イベント関連情報に、イベント会場に設置されている座席の情報が含まれている場合、判定部２２は、抽出部２１により抽出された座席情報が示す座席が、イベント会場に実際に設置されている座席であるか否かを判定してもよい。
【００３６】
生成部２３は、記憶部１５に格納されているイベント関連情報及びテンプレート画像と、抽出部２１により抽出された情報とを用いて、記念チケットの券面画像を生成する。例えば、生成部２３は、イベント関連情報に含まれるイベントの名称、日時、場所、試合結果、天候情報等と、テンプレート画像と、抽出部２１により抽出された座席情報とを用いて、図２（ｂ）に示すような記念チケットＣの券面画像を生成する。
【００３７】
プリント処理部２４は、生成部２３により生成された記念チケット画像をプリンタ１３へ転送し、プリント出力するように制御する。プリンタ１３が記念チケット画像を用紙にプリントすることで、図２（ｂ）に示すような記念チケットＣを作成・発行できる。
【００３８】
このように、本実施形態に係る記念チケット発行装置１は、単体で運用するか、又はイベント関連情報等を提供するサーバＳと連携して運用すればよく、入場チケットＴの発券システムとの連携は必要としない。そのため、システム規模を抑えて、イベントの思い出となる記念チケットを発行することができる。
【００３９】
上記実施形態では、利用者が紙の入場チケットＴを所有している場合について説明したが、電子チケットでもよい。この場合、利用者は、スマートフォン等の携帯端末のディスプレイにチケット画面を表示させておき、記念チケット発行装置１の券面読取部１７にチケット画面を読み取らせる。その後の記念チケット発行処理は、紙のチケットの場合と同様である。
【００４０】
上記実施形態では、記念チケット発行装置１を用いて紙の記念チケットＣを作成する例について説明したが、図６に示すように、スマートフォンやタブレット端末等の携帯端末１００で入場チケットを読み取り、記念チケット画像を生成して、携帯端末１００に保存するようにしてもよい。
【００４１】
図７は携帯端末１００のハードウェア構成図である。携帯端末１００は、ＣＰＵ１０１、ＲＡＭ（Random  Access  Memory）１０２、ＲＯＭ（Read  Only  Memory）１０３、記憶部１０４、タッチパネル１０５、通信部１０６、撮影部１０７、ＧＰＳ受信部１０８等を備える。
【００４２】
記憶部１０４は例えばフラッシュメモリである。撮影部１０７は例えばデジタルカメラであり、入場チケットＴの券面を撮影する。撮影画像は記憶部１０４に格納される。ＧＰＳ受信部１０８は、ＧＰＳ衛星から発せられる電波を受信し、ＧＰＳ情報に基づいて、携帯端末１００が存在する現在地の位置情報（緯度や経度）を取得する。
【００４３】
ＲＯＭ１０３又は記憶部１０４には、記念チケット画像生成プログラムが格納されている。記念チケット画像生成プログラムがＲＡＭ１０２にロードされ、ＣＰＵ１０１によって実行されることで、図８に示すイベント情報取得部１１０、抽出部１１１、判定部１１２、生成部１１３、及び注文処理部１１４が実現される。
【００４４】
イベント情報取得部１１０は、通信部１０６を用いて、サーバ装置Ｓ（図１参照）からイベント関連情報及びテンプレート画像を取得する。イベント関連情報及びテンプレート画像は記憶部１０４に格納される。
【００４５】
抽出部１１１は、撮影部１０７が撮影した入場チケットＴの券面画像から、必要な情報を抽出する。例えば、抽出部１１１は、文字認識処理を行い、券面画像からイベント名称、日時、場所、座席情報等を抽出する。
【００４６】
判定部１１２は、撮影した入場チケットＴが、記念チケット発行対象のイベントのチケットであるか否かを判定する。例えば、判定部１１２は、抽出部１１１が抽出したイベント名称、日時及び場所と、記憶部１０４に格納されているイベント関連情報に含まれるイベント名称、日時及び場所とを比較する。比較結果が一致した場合、判定部１１２は、撮影した入場チケットＴが、記念チケット発行対象のイベントのチケットであると判定する。
【００４７】
生成部１１３は、記憶部１０４に格納されているイベント関連情報及びテンプレート画像と、抽出部１１１により抽出された情報とを用いて、記念チケット画像を生成する。例えば、生成部１１３は、イベントの名称、日時、場所、試合結果、天候情報を含むイベント関連情報、特典画像を含むテンプレート画像、及び抽出部１１１により抽出された座席情報を用いて、記念チケットの画像を生成する。
【００４８】
利用者は、記念チケット画像をタッチパネル１０５に表示させ、閲覧することができる。
【００４９】
この記念チケット画像のプリント物の注文を行えるようにしてもよい。注文処理部１１４は、利用者からプリント注文を受け付け、決済処理を行うと、通信部１０６を用いて、プリントサービスを提供するサーバ（図示略）へ記念チケット画像を送信する。サーバは、記念チケット画像を工場へ転送する。工場のプリンタで記念チケット画像が用紙にプリントされ、記念チケットが作成される。記念チケットは、利用者へ配送される。
【００５０】
記念チケット画像は、イベント会場において、又はイベント会場に行った後にのみ生成できるようにしてもよい。例えば、判定部１１２は、ＧＰＳ情報による現在位置と、イベント関連情報に含まれるイベント会場の場所情報とを比較する。判定部１１２により携帯端末１００を持った利用者がイベント会場にいると判定されると、記念チケット画像が生成可能となる。
【００５１】
入場チケットが電子チケットである場合、電子チケットの画面を画像として携帯端末１００の記憶部１０４に保存する。抽出部１１１は、記憶部１０４内の電子チケット画像から必要な情報を抽出する。第１携帯端末のディスプレイに表示させた電子チケットを、第１携帯端末とは異なる第２携帯端末で読み取り、第２携帯端末で記念チケット画像を生成するようにしてもよい。
【００５２】
上記実施形態において、記念チケットを作成するためのテンプレート画像を複数準備しておき、利用者が好みのテンプレート画像を選択できるようにしてもよい。
【００５３】
上記説明は本発明の一例であり、本発明は上記以外の形態とされてもよい。
【符号の説明】
【００５４】
１  記念チケット発行装置
２  筐体
３  開閉扉
４  凹部
１０Ａ，１０Ｂ  タッチパネル
１１  データ入力部
１２  課金部
１３  プリンタ
１４  ＣＰＵ
１５  記憶部
１６  メインメモリ
１７  券面読取部
１８  通信装置
【図１】
2019067073.tif 000003
【図２】
2019067073.tif 000004
【図３】
2019067073.tif 000005
【図４】
2019067073.tif 000006
【図５】
2019067073.tif 000007
【図６】
2019067073.tif 000008
【図７】
2019067073.tif 000009
【図８】
2019067073.tif 000010